(57)【特許請求の範囲】
【請求項１】
先端部と基端部とを有した支持ビームと、
前記先端部側に配置される枢着部と前記基端部側に配置される自由端部とを有し、該枢着部において前記支持ビームの前記先端部に枢着されたジンバルと、
前記ジンバルの前記自由端部に接続されたローディング部材と、
を具備することを特徴とするヘッド支持体。
【請求項２】
前記ジンバルは前記支持ビームの表面上に架かる領域を有することを特徴とする、請求項１に記載のヘッド支持体。
【請求項３】
前記ローディング部材は、該ジンバルに平行な方向に延びる領域を有してなることを特徴とする、請求項１又は請求項２に記載のヘッド支持体。
【請求項４】
先端部及び基端部とを有した支持ビームと、
前記支持ビームの前記先端部側に配置された枢着部部と前記基端部側に配置された自由端部とを有し、該枢着部部において前記支持ビームの前記先端部に枢着されたジンバルと、
前記ジンバル部材の前記自由端部に接続されたローディング部材と、
を具備するヘッド支持体と、
情報が記録される記録媒体と、
前記記録媒体と対向するように前記ヘッド支持体の前記ジンバルに取り付けられる磁気ヘッドスライダと、
前記ヘッド支持体の前記支持ビームの前記基端部を支持すると共に回転軸線を中心にして前記ヘッド支持体を旋回させるための駆動装置と、
傾斜表面を有し、前記ローディング部材が前記記録媒体の半径方向に移動するときに、前記ローディング部材が前記傾斜表面と当接して前記傾斜表面を滑動するように構成されたランプと、
を具備することを特徴とした磁気記憶装置。
【発明の詳細な説明】
【０００１】
【発明の属する技術分野】
本発明は、ランプロードタイプのヘッド支持体及びそれを備えた磁気記憶装置に関する。
【０００２】
【従来の技術】
フロッピーディスク装置やハードディスク装置といった磁気記憶装置などの装置で使用される一般的なヘッド支持体は、支持ビームと、スペーサと、ジンバルとを含んでなる。ジンバルは、支持ビームと比較して可撓性に富んだ部材からなり、支持ビームの一方の端部に取り付けられる。詳細には、ジンバルは、支持ビーム先端側に配置される枢着部においてジンバルのベース部分に舌状部分を枢着して構成されており、ジンバルのベース部分の支持ビーム基端部側に配置される端部において支持ビームに接合される。ジンバルの舌状部分の表面には、磁気ヘッドスライダがさらに取り付けられる。また、支持ビームの他方の端部にはボスを備えたスペーサが接合されており、ヘッド支持体はボスを介してキャリッジアームに接続される。そして、リードスクリュ方式、スチールベルト方式、スパイラルカム方式などの伝達機構によりアクチュエータの駆動力をこのキャリッジアームに伝達して、磁気ヘッドスライダ及びヘッド支持体を駆動し、磁性膜を表面に備えた磁気ディスクなどの記録媒体にデータを書き込む。
【０００３】
以下で、磁気ヘッドスライダと記録媒体との近接部分について詳述する。
支持ビームは、剛性部分と、バネ性を持った部分である曲げ部分を有したバネ部分とを含む。バネ部分はキャリッジアームに支持される支持ビームの基端部側に位置する。一方、剛性部分はバネ部分から先端部側に位置し、剛性を高めるために一般にその側部にリブが設けられる。また、支持ビームの先端部に位置するジンバルが取り付けられる部分にはピボットが形成されており、ジンバルの舌状部分はこのピボット上で旋回可能になっている。
【０００４】
支持ビームのバネ部分で発生した荷重はジンバルを介して磁気ヘッドスライダに作用し、磁気ヘッドスライダはピボットを中心に旋回可能な状態で記録媒体に押しつけられる。こうして、磁気ヘッドスライダは記録媒体の動きに追従することが可能となる。
磁気ヘッドスライダは、記録媒体回転中に記録媒体の表面と磁気ヘッドスライダの浮上面との間に流入する空気により磁気ヘッドスライダの浮上面に発生する浮上力とヘッド支持体によって磁気ヘッドスライダに作用される荷重との釣り合いにより、記録媒体の表面との間に一定の間隙（一般的には２０ｎｍ程度である）を保って記録媒体上を滑空している。
【０００５】
したがって、記録媒体の回転が停止すると、磁気ヘッドスライダは浮上力を失って記録媒体の表面と接触することになる。そこで、このような磁気記憶装置においては、記録媒体の非回転時に記録媒体のデータ記録部分である環状のデータゾーンを保護する必要がある。こうした保護を行うためのロード・アンロード機構は、ＣＳＳ（コンタクト・スタート・アンド・ストップ）タイプと、ランプロードタイプとに大別される。
【０００６】
ＣＳＳタイプのロード・アンロード機構においては、記録媒体の非回転時には、磁気ヘッドスライダは記録媒体においてデータゾーンの内側に位置するＣＳＳゾーン上に退避し、記録媒体が回転を開始して磁気ヘッドスライダが浮上すると再び磁気ヘッドスライダはデータゾーンへと移動する。一方、ランプロードタイプのロード・アンロード機構においては、記録媒体の非回転時には、磁気ヘッドスライダは、記録媒体の外周の外側に設けられてその先端部が記録媒体の外周から内側へと迫り出したランプ上に退避し、記録媒体が回転を開始すると再び磁気ヘッドスライダがデータゾーンへと移動する。
【０００７】
従来、上記のＣＳＳタイプのロード・アンロード機構が一般に使用されてきた。しかしながら、近年、記録装置に対して大容量化が望まれるようになり、この要求を満たすために磁気ヘッドスライダと記録媒体の表面との間の間隙を狭くしてデータの高密度化を実現する必要が生じてきた。一方、磁気ヘッドスライダと記録媒体の表面との間の間隙を狭くするためには、記録媒体の表面の平滑度をより高くする必要が生じる。ところが、記録媒体の表面の平滑度を高めると、磁気スライダヘッドが記録媒体の表面に吸着しやすくなって、記録媒体の回転を再開する際に、記録媒体を回転させるモータの負荷が大きくなるという問題が生じる。この磁気ヘッドスライダと記録媒体との吸着から生じる負荷は、大容量化のために一つのモータで複数の媒体を回転させる場合には、特に問題となる。
【０００８】
これに対し、ランプロードタイプのロード・アンロード機構は、記録媒体の非回転時に磁気ヘッドスライダと記録媒体の表面とを接触させていないので、記録媒体を回転させるモータには始動時の付加的な負荷が作用しないという利点を有する。また、磁気ヘッドスライダがランプ上に配置されることから、優れた耐衝撃性を有しており、モバイルパソコン等の移動装置における使用にも適しているという利点を有している。
【０００９】
上記のような理由から近年ではランプロードタイプの機構が使用されることが多くなってきた。
【００１０】
【発明が解決しようとする課題】
ところで、図１０に示されるように、ランプロードタイプのロード・アンロード機構で使用されるヘッド支持体１００においては、支持ビーム１０２の先端部の中央に、支持ビーム１０２を変形させて一体的に形成したローディング部材であるタブ１０４が突設されている。記録媒体が回転を停止する際には、このヘッド支持体１００が記録媒体の外周に向かって半径方向に移動し、記録媒体の外周から記録媒体の中心部に向かって迫り出して設けられた滑り台状のランプ１０６の傾斜表面にタブ１０４が乗り上げ、ヘッド支持体１００全体が記録媒体から離れる方向に押し上げられ、ジンバル１０８に取り付けられた磁気ヘッドスライダが記録媒体の表面から離れる（すなわち、アンロード動作が行われる）。また、記録媒体が回転を開始する際には、上記作動順序と逆に、ヘッド支持体１００がランプ１０６からその傾斜表面を滑動して記録媒体の外周部に移動し、記録媒体上に浮上した状態で近接する（すなわち、ロード動作が行われる）。
【００１１】
さらに、上述したように、一般に、磁気ヘッドスライダが取り付けられているジンバルの舌状部分はその支持ビーム先端側に配置される枢着部においてジンバルのベース部分に枢着されている。
したがって、アンロード動作を行うとき、先ずタブがランプの傾斜表面に当接して、ヘッド支持体の先端部が記憶媒体の表面から離れ、続いて、磁気ヘッドスライダと記録媒体の表面との間の間隙に流入した空気が流出する側の端部である磁気ヘッドスライダの流出端部が記憶媒体の表面から離れた後、最後に流出端部と反対側に位置する磁気ヘッドスライダの流入端部が記録媒体の表面から離れることになる。逆にロード動作の際には、磁気ヘッドスライダの流入端部が記録媒体の表面と接触（正確には浮上状態で近接）した後、最後に流出端部が記録媒体の表面と接触（正確には浮上状態で近接）する。
【００１２】
一般に、ヘッド支持体は記録媒体がヘッド支持体の基端部側から先端部側へと移動するように配置される。すなわち、ロード動作及びアンロード動作を行う時に、記録媒体の移動方向はジンバルの舌状部分を逆撫でする方向となる。したがって、万一、記録媒体の表面上の異物の存在により磁気ヘッドスライダと記録媒体との円滑な相対運動が妨げられると、磁気ヘッドスライダの流入端部が記録媒体と接触して、ジンバルの舌状部分を支持ビームから引き離そうとする外力が舌状部分に作用するため、磁気ヘッドスライダ及び記録媒体の破損に至る可能性がある。また、磁気ヘッドスライダは記録媒体の表面との間の間隙に流入してくる空気の流れに対して流入端部を下げた（記録媒体に近づけた）状態となるため、浮上力の不安定を引き起こし、磁気ヘッドスライダと記録媒体とが接触しやすい状態を発生させるという問題も生じる。
【００１３】
したがって、本発明の目的は、磁気ヘッドスライダのロード動作及びアンロード動作の際に、最初に流入端部を記録媒体の表面から引き離すようにして、ロード動作及びアンロード動作の際の磁気ヘッドスライダの浮上を安定化させ、磁気ヘッドスライダと記憶媒体との接触による破損の可能性を低減させることにある。
【００１４】
【課題を解決するための手段】
本発明は、上記の目的に鑑み、先端部と基端部とを有した支持ビームと、前記先端部側に配置される枢着部と前記基端部側に配置される自由端部とを有し、該枢着部において前記支持ビームの前記先端部に枢着されたジンバルと、前記ジンバルの前記自由端部に接続されたローディング部材と、を具備するヘッド支持体を提供する。
【００１５】
好適には、前記ジンバルは前記支持ビームの表面上に架かる領域を有する。
また、好適には、前記ローディング部材は、前記ジンバルに平行な方向に延びる領域を有してなる。
本発明はさらに、上記ヘッド支持体と、情報が記録される記録媒体と、前記記録媒体と対向するように前記ヘッド支持体の前記ジンバルに取り付けられる磁気ヘッドスライダと、前記ヘッド支持体の前記支持ビームの前記基端部を支持すると共に回転軸線を中心にして前記ヘッド支持体を旋回させるための駆動装置と、傾斜表面を有し、前記ローディング部材が前記記録媒体の半径方向に移動するときに、前記ローディング部材が前記傾斜表面と当接して前記傾斜表面を滑動するように構成されたランプと、を具備する磁気記憶装置を提供する。
【００１６】
本発明のヘッド支持体は、支持ビームの基端部側に配置されたジンバルの自由端部にローディング部材を具備していることによって、ローディング部材が支持ビームに向かって移動するとき、支持ビーム全体が動くに先だって、ジンバルの自由端部が支持ビームの先端部側に配置される枢着部を中心として支持ビームに向かって移動する。したがって、アンロード動作の際には、ジンバルに接合された磁気ヘッドスライダはその流入端部が最初に記録媒体の表面から離れる。
【００１７】
次に、ローディング部材がさらに支持ビームに向かって移動すると、ローディング部材を支持ビームに向かわせる外力とジンバルの撓みからバネ作用によって生じる反力とが釣り合ってジンバルを介して支持ビームに外力が伝達されることによって、又は、ジンバルに設けられた翼部材が支持ビームと当接することによって、支持ビームすなわちヘッド支持体全体が記録媒体の表面から引き離される。したがって、磁気ヘッドスライダの流入端部が流出端部より記録媒体の表面から離れた状態を維持しながらアンロード動作を行うことが可能となる。
【００１８】
ロード動作も同様に磁気ヘッドスライダの流入端部が流出端部より記録媒体の表面から離れた状態を維持しながら行われることになり、磁気ヘッドスライダの流出端部が記録媒体の表面と接触した（正確には微小間隙を保って浮上した状態）後で流入端部が記録媒体の表面と接触するようになる。
【００１９】
【発明の実施の形態】
以下、図面を参照して本発明の実施形態を説明する。
図１は記録媒体の上下に対になった本発明のヘッド支持体を具備した磁気記憶装置の全体斜視図であり、図２は図１に示されるヘッド支持体の一つの実施形態の斜視図であり、図１において記録媒体の下側に位置するヘッド支持体を示している。
【００２０】
図１を参照すると、本発明の磁気記憶装置１０は、ヘッド支持体１２と、同ヘッド支持体１２をその基端部において支持すると共に回転軸線１４を中心としてヘッド支持体１２を旋回させるための駆動装置１６と、ヘッド支持体１２の先端部に取り付けられた磁気ヘッドスライダ１８と、図示されていないスピンドルモータ等のアクチュエータにより回転駆動される記録媒体２０と、この記録媒体２０の外周の外側に配置されているランプ２２と、これらを収容するハウジング２４とを具備する。磁気ヘッドスライダ１８は記録媒体２０と対向して配置されており、磁気により記録媒体２０に情報を記録する。また、ランプ２２は、傾斜表面２６を有する傾斜部と、平坦な表面２８を有する平坦部とを含み、ランプ２２の傾斜部の少なくとも一部が記録媒体２０の外周からその内側へと記録媒体２０の表面に近接して突出している。
【００２１】
駆動装置１６は、詳細には、ヘッド支持体１２をその基端部において支持するキャリッジアーム３０と、回転軸線１４を中心としてキャリッジアーム３０を介してヘッド支持体１２を旋回させるためのアクチュエータ（不図示）とを具備する。
図１を参照すると、一枚のディスク状記録媒体２０の両表面には各々その先端部に磁気ヘッドスライダ１８を具備した一対のヘッド支持体１２が配置されている。これらのヘッド支持体１２はそれぞれキャリッジアーム３０を介して一つのアクチュエータに接続されており共通して駆動される。しかしながら、本発明の磁気記憶装置１０は記憶容量を増加させるために複数枚の記録媒体２０を具備することができ、この場合には、各記録媒体２０の両面に磁気ヘッドスライダ１８を具備したヘッド支持体１２が配置される。記録媒体２０の片面のみを記録面として使用する場合には、磁気ヘッドスライダ１８をその先端部に具備した一つのヘッド支持体１２が配置されればよいことはいうまでもない。
【００２２】
次に、図２を参照して、ヘッド支持体１２に関して詳述する。
図２に示されるヘッド支持体１２は、先端部３２と基端部３４とを有した支持ビーム３６と、支持ビーム３６の基端部３４に接合されたスペーサ３８と、支持ビーム３６の先端部３２に取り付けられたジンバル４０とを具備する。
支持ビーム３６は、支持ビーム３６の基端部３４側に形成され板バネとして機能する曲げ部４２と、曲げ部４２と先端部３２との間に位置する剛性部４４とをさらに含む。支持ビーム３６は、曲げ部４２にて、先端部３２に取り付けられた磁気ヘッドスライダ１８を記録媒体２０に押しつける方向に屈曲している。好適には、図２に示されるように、曲げ部４２においてその可撓性を高めるべく窓部４６が形成される一方、剛性部４４においてはその剛性を高めるべくその両側縁部にリブ４８が設けられる。
【００２３】
基端部３４に接合されたスペーサ３８は支持ビーム３６の基端部３４を厚さ方向に貫通して延びるボス５０を具備しており、このボス５０を介して駆動装置１６のキャリッジアーム３０に接続される。
図２に示されるジンバル４０は支持ビーム３６と別体で形成されている。このジンバル４０はベース部分５２とこれに枢着部５４において枢着された舌状部分５６とを含み、さらにこの舌状部分５６にはその枢着部５４と反対側の端部である自由端部５８においてローディング部材６０が接続されている。ベース部分５２及び舌状部分５６はその厚さが支持ビーム３６と比較して１／２から１／３であり、薄くなっている。
【００２４】
また、ベース部分５２はその中央に窓部６２を有した枠形状になっており、このベース部分５２は、例えばレーザスポット溶接や接着剤などの公知の接合技術によって、支持ビーム３６の基端部３４側に配置される端部のみを支持ビーム３６の先端部３２の表面に接合される。すなわち、ベース部分５２の他方の端部は支持ビーム３６の表面に接合されていない状態となる。ジンバル４０が支持ビーム３６に取り付けられるとき、舌状部分５６の枢着部５４は、支持ビーム３６の先端部３２側に配置される。
【００２５】
舌状部分５６の外側表面（すなわち、記録媒体と対向する表面）には適宜の接合技術を用いて磁気ヘッドスライダ１８が接合される。また、支持ビーム３６の表面は、舌状部分５６の下方に位置するベース部分５２の窓部６２においてピボット（不図示）を形成している。したがって、舌状部分５６はピボットを中心として旋回することが可能となり、舌状部分５６に取り付けられた磁気ヘッドスライダ１８が記録媒体の表面の変動に追従して平面的な接触を維持できるようになっている。すなわち、図２に示されるジンバル４０は、舌状部分５６に自由端部５８においてローディング部材６０が接続されていることを除いて、従来のヘッド支持体で使用されるジンバルと同様に構成される。
【００２６】
図２を参照すると、舌状部分５６に接続されたローディング部材６０は山形状の断面をしており、記録媒体２０の外周の外側に配置されたランプ２２の傾斜表面２６とその頂点において接触する。また、ローディング部材６０は舌状部分５６と一体的に形成することもでき、別体で形成して舌状部分５６に接合することもできる。さらに、代替実施形態として、ローディング部材６０として円形状断面の棒状部材を別体で舌状部分５６に接続することもできる。
【００２７】
磁気ヘッドスライダ１８を記録媒体２０から引き離すアンロード動作の際には、ローディング部材６０がランプ２２の傾斜表面２６を移動するとき、先ずジンバル４０の舌状部分５６の自由端部５８を枢着部５４を中心として支持ビーム３６に向かって移動させて、磁気ヘッドスライダ１８の流入端部６４（支持ビーム３６の基端部３４側に位置する磁気ヘッドスライダ１８の端部）を最初に記録媒体２０から離す。続いて、舌状部分５６の自由端部５８を支持ビーム３６に向かってさらに移動させるとローディング部材６０は支持ビーム３６の表面に当接するので、磁気ヘッドスライダ１８の流入端部６４がその反対側の流出端部６６よりも記録媒体２０から離れた状態を維持したまま、支持ビーム３６すなわちヘッド支持体１２全体を記録媒体２０から引き離す方向に移動させることになる。磁気ヘッドスライダ１８を記録媒体２０に接近させるロード動作の際には、同様に、ローディング部材６０がランプ２２の傾斜表面２６を移動すると、磁気ヘッドスライダ１８の流入端部６４が流出端部６６よりも記録媒体２０から離れた状態を維持したまま、ヘッド支持体１２全体が記録媒体２０に接近していくことになる。
【００２８】
したがって、ロード動作及びアンロード動作の際には、磁気ヘッドスライダ１８の流入端部６４が流出端部６６よりも記録媒体２０から離れた状態が維持されるので、磁気ヘッドスライダ１８が記録媒体２０の表面との間を流れる空気から受ける浮上力が不安定になることはない。また、記録媒体２０の表面上に異物が存在しても、それが磁気ヘッドスライダ１８の流入端部６４に接触して舌状部分５６を支持ビーム３６の表面から引き離すような力が作用することはない。
【００２９】
図３は、図１に示されるヘッド支持体１２の第二実施形態を示す斜視図であり、図４は図３のヘッド支持体１２の拡大詳細図である。図３及び図４に示されるヘッド支持体１２は、図２に示される実施形態とジンバル４０の部分が異なっている。
図３に示されるヘッド支持体１２は、図２と同様に、先端部３２と基端部３４とを有した支持ビーム３６と、その基端部３４に接合されたボス５０を具備したスペーサ３８と、支持ビーム３６の先端部３２のジンバル４０とを具備する。支持ビーム３６及びスペーサ３８に関しては図２と同様であるので、ここでは特に説明しない。
【００３０】
図４を参照すると、ジンバル４０が支持ビーム３６と一体的に形成されている。このジンバル４０では、磁気ヘッドスライダ接着部である舌状部分５６が枢着部５４において直接、支持ビーム３６に枢着されており、さらにこの舌状部分５６には枢着部５４と反対側の端部である自由端部５８においてローディング部材６０が接続されている。また、図２と同様に、枢着部５４は支持ビーム３６の先端部３２側に位置する。さらに、ジンバル４０の舌状部分５６は磁気ヘッドスライダ１８を対向して配置される記録媒体２０の表面に微小な力で押しつけるように構成されおり、この舌状部分５６の表面には適宜の接合技術を用いて磁気ヘッドスライダ１８が接合される。
【００３１】
図４に示されるジンバル４０は、エッチングや打ち抜きなどの技術を用いて支持ビーム３６の先端部３２に枢着部５４を残して舌状部分５６の周縁形状を定める溝６８を形成して、支持ビーム３６から舌状部分５６を分離させることによって形成され得る。また、ジンバル４０としての機能を果たすために、枢着部５４及び舌状部分５６はハーフエッチングや研磨等の技術を用いてその厚さを薄くされている。こうして形成されたジンバル４０は、その舌状部分５６が支持ビーム３６の表裏両面の側に撓み得るという特徴を有する。
【００３２】
また、図４に示されるローディング部材６０はジンバル４０の舌状部分５６を含んだ平面と異なる平面上に延びており、ジンバル４０の舌状部分５６とローディング部材６０との間に延びる接続部材７０を介してジンバル４０の自由端部５８に接続される。好適には、ローディング部材６０は支持ビーム３６を挟んで磁気ヘッドスライダ１８と反対側に配置され、舌状部分５６の表面に対して所定の角度で延びる接続部材７０を介してジンバル４０の自由端部５８に接続される。このとき、ローディング部材６０はジンバル４０の舌状部分５６と平行な方向に延びていることが好ましい。
【００３３】
ローディング部材６０及び接続部材７０はジンバル４０と比較して厚く、剛性を有することが好ましい。さらに、図４においてはローディング部材６０は平板状部材として示されているが、図２に示される実施形態と同様に山形状又は丸棒形状に形成され得る。
以上の構成により、ローディング部材６０がランプ２２の傾斜表面２６に当接することによってローディング部材６０に加えられる力はジンバル４０の自由端部５８に伝達される。したがって、アンロード動作の際には、先ずジンバル４０の自由端部５８を記録媒体２０の表面から離す方向に移動させて磁気ヘッドスライダ１８の流入端部６４を記録媒体２０の表面から引き離し、その後、ジンバル４０の自由端部５８が支持ビーム３６を挟んで反対側まで移動すると、ランプ２２から加えられる力とジンバル４０の撓みによる反力とが釣り合って、支持ビーム３６すなわちヘッド支持体１２全体を記録媒体２０から引き離す方向に移動させる。このとき、磁気ヘッドスライダ１８の流入端部６４が流出端部６６よりも記録媒体２０から離れた状態が維持される。すなわち、図４に示されるヘッド支持体１２は図２に示されるヘッド支持体１２と同様の動作を行う。ロード動作も図２のヘッド支持体１２と同様に行われることはいうまでもない。したがって、図４に示されるヘッド支持体１２は、図２に示される実施形態に関して説明した効果を同様に奏し得る。
【００３４】
図４を参照すると、ジンバル４０は、さらに、ジンバル４０の舌状部分５６の周縁から側方に突出して支持ビーム３６の両側縁部まで延び、支持ビーム３６の表面上に架かる領域を有した翼部材７２をその自由端部５８に具備している。翼部材７２もローディング部材６０及び接続部材７０と同様にジンバル４０と比較して厚く剛性を有しているのが好ましい。また、ローディング部材６０、接続部材７０、及び翼部材７２は一体的に形成されることが好ましい。
【００３５】
翼部材７２を具備する場合、接続部材７０は、翼部材７２が支持ビーム３６に当接した状態で支持ビーム３６とローディング部材６０との間の距離がランプ２２の厚さ以上となるような長さを有する必要がある。
翼部材７２を具備する効果を以下に説明する。
例えば、アンロード動作の際は、ローディング部材６０がランプ２２の傾斜表面２６と当接すると、先ず枢着部５４を中心としてジンバル４０の自由端部５８を支持ビーム３６に近づける方向に移動させ、磁気ヘッドスライダ１８の流入端部６４を記録媒体２０の表面から引き離す。その後、自由端部５８がさらに支持ビーム３６に向かって移動すると、翼部材７２が支持ビーム３６に当接し、支持ビーム３６すなわちヘッド支持体１２全体を記録媒体２０の表面から引き離す方向に移動させる。支持ビーム３６はジンバル４０と比較して剛性がより高いので、ジンバル４０の長手軸線を中心とした捻れが発生することを抑制する。したがって、ロード動作及びアンロード動作の際の磁気ヘッドスライダ１８の浮上をより安定にさせる効果を奏する。
【００３６】
図５を参照すると、示されるヘッド支持体１２は、図４に示されるヘッド支持体１２と類似であるが、具備されたローディング部材６０′が山形状に形成されている点が異なっている。ローディング部材６０′は、このように形成されることによって、ランプ２２と面ではなく点で接触するので、ヘッド支持体１２のアンロード動作及びロード動作の際に発生する捻れを抑制することができる。
【００３７】
また、図４に示されている翼部材７２がジンバル４０の自由端部５８から支持ビーム３６の両側縁まで支持ビーム３６の幅方向（水平面において支持ビームの長手軸線方向と垂直な方向）に直線的に延びているのに対して、図５に示される翼部材７２′はジンバル４０の自由端部５８から支持ビーム３６の基端部３４側に斜め方向に延びている。
【００３８】
したがって、ジンバル４０の自由端部５８が支持ビーム３６に向かって移動して翼部材が支持ビーム３６に当接するとき、図４の翼部材７２が、ジンバル４０の両側に存在し支持ビーム３６の剛性部４４の基端部側と先端部３２とを接続する梁部７４に接触するのに対して、図５の翼部材７２′は少なくともその一部が支持ビーム３６の基端部側に位置する幅広の剛性部４４に接触する。こうして翼部材７２′が支持ビーム３６の梁部７４ではなくより基端部側の幅広の剛性部４４と接触することによって、翼部材７２′から伝達される外力がより剛性の高い部分に作用し、支持ビーム３６の先端部３２に発生する捻れを抑制する。
【００３９】
図６及び図７は、図４及び図５の実施形態に示されるような、支持ビーム３６、ジンバル４０、ローディング部材６０、及び翼部材７２、７２′を一体的に形成した、本発明のヘッド支持体１２の第四実施形態を示す斜視図である。
図６を参照すると、図４に示される実施形態に関して説明したように支持ビーム３６の先端部３２にジンバル４０の周縁形状に沿ってエッチング等の適宜の加工技術によって溝６８が形成されている。ジンバル４０を形成する部分の内部には、さらに、翼部材７２、接続部材７０、及びローディング部材６０を形成するべき部分の周縁形状に沿って溝７６、７８が形成されている。
【００４０】
翼部材７２を形成するべき部分は、ジンバル４０を形成する部分の自由端部５８の近傍に位置し、図６に示されるように支持されるべき側の端部を除いてその周縁形状に沿って溝７６が形成されている。ローディング部材６０及び接続部材７０を形成するべき部分は、ジンバル４０を形成する部分の内部において翼部材７２を形成するべき部分からさらに枢着部５４側に位置し、翼部材７２と同様に支持されるべき側の端部を除いてその周縁形状に沿って溝７８が形成されている。
【００４１】
ローディング部材６０及び接続部材７０を形成するべき部分は、ローディング部材６０の先端部が支持ビーム３６の基端部３４側を向くように、図６に示される各部分を図７に示されるごとく折り返され、翼部材７２を形成するべき部分はその先端部がジンバル４０の周縁から突出するように折り返される。さらに、ジンバル４０の表面に磁気ヘッドスライダ１８を接合することによって、図４と同様の構造上の特徴を有したヘッド支持体１２が形成される。
【００４２】
こうして、ローディング部材６０、接続部材７０、及び翼部材７２を一体的に形成することで、ヘッド支持体１２をより軽量、小型化することが可能となる。したがって、ジンバル４０に別部材を付加することによる質量の増加の結果として磁気ヘッドスライダ１８の浮上特性に影響を与える可能性を低減させる効果を奏し得る。
【００４３】
一方で、ジンバル４０からローディング部材６０、接続部材７０、及び翼部材７２を形成することになるため、これらの部材の機能を果たすに十分な剛性を得られないという問題を生じ得る。しかし、例えばジンバル４０を形成する際にジンバル４０の機能を果たすのに必要な部分のみをハーフエッチングで薄くし、少なくとも上記各部材６０、７０、７２を形成すべき部分は支持ビーム３６と同じ厚さを有するようにすることによって、この問題を解消することができる。
【００４４】
図８及び図９は、図６及び図７に示される実施形態と類似の本発明のヘッド支持体１２の第五実施形態である。
図８を参照すると、本実施形態における、ジンバル４０を形成するべき部分、ローディング部材６０を形成するべき部分、接続部材７０を形成するべき部分、翼部材７２を形成するべき部分は図６と同様に形成されている。しかしながら、本実施形態は、ローディング部材６０を形成するべき部分の先端を支持ビーム３６の先端部３２側に向けて折り返し、さらに、図９に示されるようにローディング部材６０を形成するべき部分に棒状部材８０を接合して付加することによって、ローディング部材６０の機能を果たす部分が延長され、支持ビーム３６の先端部３２から突出するように構成したものである。棒状部材８０は好適には円形状断面又は山形状断面を有しており、溶接や接着剤の使用など適宜の接合技術によりローディング部材６０を形成する部分に接合される。
【００４５】
このようにして構成されたヘッド支持体１２のジンバル４０の表面に磁気ヘッドスライダ１８を接合することによって、支持ビーム３６の先端部３２にローディング部材６０を備えた従来のヘッド支持体を使用する場合と同様に、ランプ２２が、ヘッド支持体１２の先端部、すなわち支持ビーム３６の先端部３２に当接するように配置することができるようになる。したがって、ランプ２２が支持ビーム３６と接触することがなくなる。
【００４６】
一方で、棒状部材８０の接合などによって延長されたローディング部材６０を形成する部分はジンバル４０の自由端部５８に接続されているので、例えばアンロード動作の際に、ランプ２２の傾斜表面２６とローディング部材６０の延長部である棒状部材８０が当接すると、最初にジンバル４０の自由端部５８が支持ビーム３６に向かって移動する。したがって、最初に磁気ヘッドスライダ１８の流入端部６４が記録媒体２０の表面から離れることになる。
【００４７】
以上で説明されたジンバル４０を支持ビーム３６と一体的に形成する、図３〜図９に示される各実施形態に関し、支持ビーム３６に別部材を取り付けることによってジンバル４０を挟んで磁気ヘッドスライダ１８と反対側にピボットを設け、ジンバル４０の機能を向上させることが可能である。また、翼部材７２は必ずしもジンバル４０の自由端部５８に設けられる必要はなく、ジンバル４０の他の任意の位置に設けることも可能である。
【００４８】
さらに、本発明のヘッド支持体を光学式ヘッドを含む他のタイプの記録ヘッドの支持に対して使用することも可能である。
【００４９】
【発明の効果】
以上説明したように、本発明によれば、ランプロードタイプのヘッド支持体において、ジンバルの自由端部にローディング部材を具備することによって、磁気ヘッドスライダのロード動作及びアンロード動作の際に、磁気ヘッドスライダの流入端部が流出端部よりも記録媒体の表面から離れた状態を維持するので、磁気ヘッドスライダの浮上を不安定にすることがなくなる。また、記録媒体上に異物が存在する場合にも、異物が磁気ヘッドスライダが取り付けられたジンバルを支持ビームから引き離す方向に移動させて負荷を発生させ、異物が磁気ヘッドスライダ及び記録媒体を破損させることを防止することが可能となる。したがって、磁気ヘッドスライダ及び記録媒体の破損の可能性の少ない信頼性の高い磁気記憶装置を実現することが可能となる。
【図面の簡単な説明】
【図１】本発明のヘッド支持体を具備した磁気記憶装置の全体斜視図である。
【図２】図１において記録媒体の下側に位置するヘッド支持体の第一実施形態を示す斜視図である。
【図３】本発明のヘッド支持体の第二実施形態を示す斜視図である。
【図４】図３に示されるヘッド支持体の先端部の拡大詳細図である。
【図５】本発明のヘッド支持体の第三実施形態を示すヘッド支持体の先端部の拡大詳細図である。
【図６】本発明のヘッド支持体の第四実施形態を示す、組み立て前の状態のヘッド支持体の先端部の拡大詳細図である。
【図７】図６に示されるヘッド支持体の先端部の組み立て後の状態を示す拡大詳細図である。
【図８】本発明のヘッド支持体の第五実施形態を示す、組み立て前の状態のヘッド支持体の先端部の拡大詳細図である。
【図９】図８に示されるヘッド支持体の先端部の組み立て後の状態を示す拡大詳細図である。
【図１０】従来技術のランプロードタイプのヘッド支持体を示す斜視図である。
【符号の説明】
１０…磁気記録装置
１２…支持ヘッド
１６…駆動装置
１８…磁気ヘッドスライダ
２０…記録媒体
２２…ランプ
２４…ハウジング
２６…傾斜表面
３２…先端部
３４…基端部
３６…支持ビーム
４０…ジンバル
５４…枢着部
５８…自由端部
６０…ローディング部材
【図１】
0004056188.tif 000002
【図２】
0004056188.tif 000003
【図３】
0004056188.tif 000004
【図４】
0004056188.tif 000005
【図５】
0004056188.tif 000006
【図６】
0004056188.tif 000007
【図７】
0004056188.tif 000008
【図８】
0004056188.tif 000009
【図９】
0004056188.tif 000010
【図１０】
0004056188.tif 000011